(57)【要約】【課題】ガタ付きを抑えてＦＯＴの位置を安定させ、これにより回路基板に対する作業性の向上を図ることを可能とする光モジュールを提供する。【解決手段】光モジュールは、ＦＯＴ６と、このＦＯＴ６を保持するＦＯＴケース３２と、これらを覆いシールドを施すシールドケース３３とを備える。シールドケース３３は、上壁４４及び下側開口部４０を有する構造とする。また、シールドケース３３は、下側開口部４０から上壁４４へ向けてＦＯＴケース３２を差し込み覆う構造とする。さらに、シールドケース３３の両側壁４５には、先端が上壁４４側を向き且つ内側へ折れ曲がる斜め片４９を形成する。斜め片４９は、「く」字状片４８を構成する。一方、ＦＯＴケース３２の両側壁３９には、斜め片４９の斜面が接触して離脱方向の付勢力を受ける凹部３８を形成する。【選択図】図１
2008071823.tif 000002
【特許請求の範囲】
【請求項１】
発光素子及び／又は受光素子を有するＦＯＴ（Fiber Optic Transceiver ）と、該ＦＯＴを保持するＦＯＴケースと、これらを覆いシールドを施すシールドケースとを備える光モジュールにおいて、
前記シールドケースを、上壁及び下側開口部を有する構造とするとともに、前記下側開口部から前記上壁へ向けて前記ＦＯＴケースを差し込み覆う構造とし、さらに、前記シールドケースの両側壁には、先端が前記上壁側を向き且つ内側へ折れ曲がる斜め片をそれぞれ形成する一方、前記ＦＯＴケースの両側壁には、前記斜め片の斜面が接触して離脱方向の付勢力を受ける凹部又は貫通孔をそれぞれ形成する
ことを特徴とする光モジュール。
【請求項２】
請求項１に記載の光モジュールにおいて、
前記斜め片の前記先端に、外側へ折れ曲がり且つ前記凹部又は貫通孔に対して接触する斜面を有する第二斜め片を連成し、前記斜め片と前記第二斜め片とで略「く」字状となる「く」字状片を形成する
ことを特徴とする光モジュール。
【請求項３】
請求項２に記載の光モジュールにおいて、
前記「く」字状片と、前記凹部又は貫通孔とで、前記シールドケースと前記ＦＯＴケースとの係止構造を構成する
ことを特徴とする光モジュール。
【発明の詳細な説明】
【技術分野】
【０００１】
本発明は、電子部品をシールド部品で覆い回路基板に取り付ける電子部品モジュールに関し、詳しくは、光コネクタやハイブリッドコネクタなどの光モジュール、ピッグテール型の光モジュールに関する。
【背景技術】
【０００２】
下記特許文献１に開示されたピッグテール型の光モジュールについて以下、説明をする。図４（ａ）において、ピッグテール型の光モジュール１は、図示しない光コネクタ部と、回路基板２に接続固定される受発光部３と、一端がコネクタ部に接続され他端が受発光部３に接続される中継用の光ファイバ４、４と、この光ファイバ４、４を保持し受発光部３に対して余計な力が加わらないようにするための光ファイバ保持部品５とを備えて構成されている。
【０００３】
図４（ｂ）において、受発光部３は、発光素子を有する発光側ＦＯＴ（Fiber Optic Transceiver ）及び受光素子を有する受光側ＦＯＴ（図中では一つしか図示してないがこれらをＦＯＴ６とする）と、ＦＯＴ６を固定するためのＦＯＴケース７と、ＦＯＴ６及びＦＯＴケース７を覆って電磁ノイズ対策を施すシールドケース８とを備えて構成されている。ＦＯＴ６は、樹脂モールドされたパッケージ部９と、複数のリードフレーム１０とを有している。リードフレーム１０は、特に図示しないが４本あり、横一列に並んだ配置となっている（二つのＦＯＴ６によって、図中では８本横一列に並んでいる）。リードフレーム１０は、各々、回路基板２の接続用の穴に差し込まれて半田付けされ、所望の回路と接続されるようになっている。
【０００４】
ＦＯＴケース７は、ＦＯＴ６のパッケージ部９を固定する固定部１１と、各リードフレーム１０を差し込んで固定するリードフレーム固定部１２とを有している。尚、詳細に図示しないが、ＦＯＴケース７における引用符号１３で示す部分（光ファイバ接続筒部１３）には、光ファイバ４の前記他端が固定されてこの他端がＦＯＴ６の素子に対向するような構造になっている。固定部１１の前面には、凹状の係止部１４が形成されている。リードフレーム固定部１２は、櫛歯状の形状に形成されている。
【０００５】
ＦＯＴ６は、各リードフレーム１０がリードフレーム固定部１２によって固定され、また、ＦＯＴ６は、パッケージ部９の上部及び左右両側が固定部１１の上壁及び側壁、隔壁によって囲まれるような状態で固定されるようになっている。
【０００６】
シールドケース８は、箱状となる形状に形成されている。この箱状となる形状の部分は、上下に開口部を有しており、ＦＯＴ６を固定したＦＯＴケース７を上側開口部から内部に差し込んだ後に蓋部１５で覆うような構造になっている。蓋部１５は、上側開口部の縁部に連成されており、折り曲げを施すと上側開口部を覆うことができるような構造になっている（引用符号１６は蓋部１５の折り曲げ部分を示している。また、引用符号１７は蓋部１５を係止する係止部分を示している）。シールドケース８の内部に差し込まれたＦＯＴケース７は、シールドケース８の小さな板バネ状の係止部１８がＦＯＴケース７の凹状の係止部１４に引っ掛かることにより係止されるようになっている。
【０００７】
前記箱状となる形状の部分には、ピン状の基板接続部１９、２０、２１が形成されている。この基板接続部１９、２０、２１は、下側開口部の縁部に形成されており、ＦＯＴ６の複数のリードフレーム１０と同様、各々、回路基板２に差し込まれて半田付けされ、これにより接続固定されるようになっている。前記箱状となる形状の部分には、ＦＯＴ６のパッケージ部９の背面を押圧してこのＦＯＴ６を保持する押圧部２２、２２が形成されている（一つのみ図示）。
【特許文献１】特開２００５−９１４１６号公報
【発明の開示】
【発明が解決しようとする課題】
【０００８】
ところで、上記従来技術にあっては、シールドケース８の係止部１８とＦＯＴケース７の係止部１４との引っ掛かり合いによって、ＦＯＴ６を固定したＦＯＴケース７がシールドケース８に係止されるような構造になっている。シールドケース８の係止部１８とＦＯＴケース７の係止部１４との引っ掛かり合いを生じさせるためには、構造上、係止部１４及び１８にガタ（嵌合ガタ。図示省略）を持たせたりする必要があることから、いくら押圧部２２によってＦＯＴ６を押圧し保持するようにしても、前記ガタに起因してＦＯＴ６を固定したＦＯＴケース７の位置がズレてしまうという恐れを有している。このような位置ズレに関しては、シールドケース８の下側開口部から突出するリードフレーム１０の長さが所望の長さと異なってしまうことにつながり、回路基板２に対する接続作業性等に影響を来してしまうという問題点を有することになる。
【０００９】
尚、対策として、シールドケース８の上側開口部を蓋する際に、ＦＯＴケース７の固定部１１を蓋部１５によって押圧する構造を考えてみたが、次のような結果が得られている。すなわち、蓋部１５は、折り曲げ部分１６で折り曲げてこの折曲部分１６から離れる係止部分１７にて係止がなされる構造であることから、係止部分１７の近傍では固定部１１を良好に押圧できるものの、折曲部分１６の近傍では押圧する力が十分に得られず、上記問題点の解消になり得ないという結果が得られている。
【００１０】
本発明は、上述した事情に鑑みてなされたもので、ガタ付きを抑えてＦＯＴの位置を安定させ、これにより回路基板に対する作業性の向上を図ることを可能とする光モジュールを提供することを課題とする。
【課題を解決するための手段】
【００１１】
上記課題を解決するためになされた請求項１記載の本発明の光モジュールは、発光素子及び／又は受光素子を有するＦＯＴ（Fiber Optic Transceiver ）と、該ＦＯＴを保持するＦＯＴケースと、これらを覆いシールドを施すシールドケースとを備える光モジュールにおいて、前記シールドケースを、上壁及び下側開口部を有する構造とするとともに、前記下側開口部から前記上壁へ向けて前記ＦＯＴケースを差し込み覆う構造とし、さらに、前記シールドケースの両側壁には、先端が前記上壁側を向き且つ内側へ折れ曲がる斜め片をそれぞれ形成する一方、前記ＦＯＴケースの両側壁には、前記斜め片の斜面が接触して離脱方向の付勢力を受ける凹部又は貫通孔をそれぞれ形成することを特徴としている。
【００１２】
このような特徴を有する本発明によれば、ＦＯＴを保持した状態のＦＯＴケースをシールドケースの下側開口部からこの内部へ差し込んでいくと、ＦＯＴケースの側壁がシールドケース側壁の斜め片を外側へ押し付けて、この斜め片を弾性変形させる。さらに、ＦＯＴケースの差し込みを続けると、ＦＯＴケース側壁の凹部又は貫通孔の位置がシールドケース側壁の斜め片の位置に一致し、弾性変形していた斜め片が元の状態、すなわち内側へ倒れ込んだ状態に復元しようとする。この復元の際において、斜め片は凹部又は貫通孔の下側開口縁に接触する。斜め片の凹部又は貫通孔に対する接触は、差し込みと反対になる離脱方向へとＦＯＴケースを付勢することになる。
【００１３】
シールドケースとＦＯＴケースとの係止状態においては、ＦＯＴケースがシールドケースの斜め片により離脱方向へ付勢されると、この付勢によって係止構造の部分での押し付けが生じる。そして、この押し付けが生じることにより、シールドケース内のＦＯＴケースのガタ付きが抑えられる。ガタ付きが抑えられることにより、シールドケースの下側開口部から突出するＦＯＴのリードフレームの長さが所望の長さになる。すなわち、この後の回路基板に対する接続作業を容易に行うことが可能になる。
【００１４】
請求項２記載の本発明の光モジュールは、請求項１に記載の光モジュールにおいて、前記斜め片の前記先端に、外側へ折れ曲がり且つ前記凹部又は貫通孔に対して接触する斜面を有する第二斜め片を連成し、前記斜め片と前記第二斜め片とで略「く」字状となる「く」字状片を形成することを特徴としている。
【００１５】
このような特徴を有する本発明によれば、ＦＯＴを保持した状態のＦＯＴケースをシールドケースの下側開口部からこの内部へ差し込んでいくと、ＦＯＴケースの側壁がシールドケース側壁の「く」字状片を外側へ押し付けて、この「く」字状片を弾性変形させる。さらに、ＦＯＴケースの差し込みを続けると、ＦＯＴケース側壁の凹部又は貫通孔の位置がシールドケース側壁の「く」字状片の位置に一致し、弾性変形していた「く」字状片が元の状態に復元しようとする。この復元の際において、「く」字状片の斜め片は凹部又は貫通孔の下側開口縁に接触する。また、同様に「く」字状片の第二斜め片も凹部又は貫通孔の上側開口縁に接触する。斜め片の凹部又は貫通孔に対する接触は、差し込みと反対になる離脱方向へとＦＯＴケースを付勢することになる。また、第二斜め片の凹部又は貫通孔に対する接触は、ＦＯＴケースの左右方向の位置決めをするためにＦＯＴケースを付勢することになる。
【００１６】
本発明によれば、斜め片と第二斜め片とで略「く」字状となる「く」字状片を形成することにより、ガタ付きを抑えることができるのは勿論のこと、シールドケース内のＦＯＴケースの位置決めも可能になる。
【００１７】
請求項３記載の本発明の光モジュールは、請求項２に記載の光モジュールにおいて、前記「く」字状片と、前記凹部又は貫通孔とで、前記シールドケースと前記ＦＯＴケースとの係止構造を構成することを特徴としている。
【００１８】
このような特徴を有する本発明によれば、ＦＯＴを保持した状態のＦＯＴケースをシールドケースで覆うと、シールドケースの「く」字状片における斜め片がＦＯＴケースの凹部又は貫通孔の下側開口縁に接触する。また、これと同時に「く」字状片における第二斜め片が凹部又は貫通孔の上側開口縁に接触する。これら二つの片の接触状態においては、「く」字状片と凹部又は貫通孔との引っ掛かり合いになることから、結果、係止状態が形成されることになる。従って、「く」字状片と凹部又は貫通孔とで対応すれば係止構造を別途設けなくとも良いことになる。
【発明の効果】
【００１９】
請求項１に記載された本発明によれば、ガタ付きを抑えてＦＯＴの位置を安定させることができる。従って、回路基板に対する作業性の向上を図ることができるという効果を奏する。
【００２０】
請求項２に記載された本発明によれば、さらにシールドケース内のＦＯＴケースの位置決めをすることができるという効果を奏する。
【００２１】
請求項３に記載された本発明によれば、係止構造を別途設けなくとも「く」字状片と凹部又は貫通孔とで対応することができるという効果を奏する。
【発明を実施するための最良の形態】
【００２２】
以下、図面を参照しながら説明する。図１は本発明の光モジュールの一実施の形態を示す受発光部の正面図（円内は要部断面図）である。また、図２（ａ）はＦＯＴケース及びシールドケースの斜視図、図２（ｂ）はシールドケースの斜視図、図２（ｃ）はＦＯＴケースの斜視図である。
【００２３】
図１において、特に限定するものではないが、ピッグテール型の光モジュールは、図示しない光コネクタ部と、回路基板（図４の引用符号２参照）の所定位置に接続固定される受発光部３１と、一端がコネクタ部に接続され他端が受発光部３１に接続される中継用の光ファイバ（図４の引用符号４参照）とを備えて構成されている。受発光部３１は、発光素子を有する発光側ＦＯＴ（Fiber Optic Transceiver ）及び受光素子を有する受光側ＦＯＴ（これらをＦＯＴ６とする）と、このＦＯＴ６を保持・固定するためのＦＯＴケース３２と、ＦＯＴ６及びＦＯＴケース３２を覆って電磁ノイズ対策を施すシールドケース３３とを備えて構成されている（受発光部３１は、発光側ＦＯＴ又は受光側ＦＯＴの単独で構成しても良いものとする）。
【００２４】
本発明は、ＦＯＴケース３２及びシールドケース３３に特徴があり、これらの特徴によってガタ付きが抑えられ、ＦＯＴ６の位置が安定して、回路基板（２）に対する取り付けの際の作業性が従来よりも格段に向上するようになっている。以下、図１及び図２を参照しながらＦＯＴケース３２及びシールドケース３３について説明する（図１中のＰ方向を上下方向、Ｑ方向を左右方向、紙面に垂直なＲ方向を前後方向と定義する）。尚、ＦＯＴ６についてはパッケージ部９及び複数のリードフレーム１０を有する既知のものを用いるものとし、ここでは詳細な説明を省略する。
【００２５】
ＦＯＴケース３２は、絶縁性を有する合成樹脂材料を用いて成形してなる樹脂成形品であって、各ＦＯＴ６のパッケージ部９を収容して固定する固定部３４と、各ＦＯＴ６のリードフレーム１０を各々差し込んで固定するリードフレーム固定部３５、３５とを有している。固定部３４のパッケージ収容固定部分３６、３６及びリードフレーム固定部３５、３５は、左右方向に並ぶように配置形成されている。リードフレーム固定部３５、３５は、固定部３４の下部に連成されている。固定部３４の前面には、光ファイバ接続筒部３７、３７が突出形成されている。固定部３４及びリードフレーム固定部３５、３５は、正面視略長方形状に形成されている。
【００２６】
本形態において、既知のＦＯＴ６を用いることから、固定部３４のパッケージ収容固定部分３６、３６、リードフレーム固定部３５、３５、及び光ファイバ接続筒部３７、３７の各構造は、図４を参照しながら説明した従来例の固定部１１、リードフレーム固定部１２、及び光ファイバ接続筒部１３、１３と基本的に同じ構造になっている。
【００２７】
ＦＯＴケース３２は、固定部３４、リードフレーム固定部３５、及び光ファイバ接続筒部３７、３７の他に、凹部３８、３８を有している。凹部３８、３８は、本発明におけるＦＯＴケース３２の重要な部分として形成されている。
【００２８】
凹部３８、３８は、従来生じていた係止構造におけるガタ付きを抑えるための部分として形成されている。また、凹部３８、３８は、本形態において、係止部として機能する部分としても形成されている（図４を参照しながら説明した従来例のシールドケース８の係止部１８とＦＯＴケース７の係止部１４のような係止構造を別途設けても良いものとする）。言い換えれば、凹部３８、３８は、シールドケース３３との係止構造を構成する部分としても形成されている。凹部３８、３８は、固定部３４に一体形成されている。以下、凹部３８、３８の具体的な例を説明する（一例でありこの説明及び図示に限定されないものとする）。
【００２９】
凹部３８、３８は、固定部３４の左右両側壁３９、３９の略中央位置に一つずつ形成されている。各凹部３８は、所定の大きさとなる矩形の凹み形状に形成されている（パッケージ収容固定部分３６にまで貫通する貫通孔であっても良いものとする）。各凹部３８において、引用符号４０は下側開口縁を示している。また、引用符号４１は上側開口縁を示している。さらに、引用符号４２は奥部を示している。下側開口縁４０及び上側開口縁４１は、特に限定するものでないが、エッジとなる形状に形成されている。奥部４２は、平坦な面となるように形成されている。下側開口縁４０及び上側開口縁４１は、シールドケース３３からの力が掛かる部分となっている。尚、シールドケース３３側の形状にもよるが、奥部４２にも力が掛かるようにしても良いものとする。
【００３０】
シールドケース３３は、導電性を有する金属板を打ち抜き、折り曲げ加工を施して、図示のような下側が開口する略箱状の形状に形成されている。シールドケース３３は、下側開口部４３及び上壁４４を有するとともに、左右の側壁４５、４５及び前後の側壁（前壁４６、後壁４７）を有する略箱状の形状に形成されている。シールドケース３３は、ＦＯＴ６を保持・固定した状態のＦＯＴケース３２を、下側開口部４３から上壁４４へ向けて差し込むことにより覆い、この差し込んだＦＯＴケース３２等を左右両側壁４５、４５の「く」字状片４８、４８にて押さえ付け、この押さえ付けによってＦＯＴケース３２のガタ付きを抑えるような構造に形成されている。
【００３１】
シールドケース３３においては、「く」字状片４８、４８が本発明の重要な部分になっている。「く」字状片４８、４８は、従来生じていた係止構造におけるガタ付きを抑えるための部分として形成されている。また、「く」字状片４８、４８は、本形態において、係止部として機能する部分としても形成されている。
【００３２】
上壁４４は、図示の如く平坦な面を有するように形成されている。上壁４４は、図からも分かるように従来例のような後から蓋をする構造のもの（図４の蓋部１５参照）と明らかに異なっている。
【００３３】
「く」字状片４８、４８は、側壁４５、４５の略中央位置に配置形成されている。「く」字状片４８、４８は、先端が上壁４５、４５側を向き、且つ内側へ折れ曲がる斜め片４９、４９と、この斜め片４９、４９の先端に連続する第二斜め片５０、５０とを有している。斜め片４９、４９は、ＦＯＴケース３２の凹部３８、３８における下側開口縁４０に接触する斜面を有するように形成されている。また、第二斜め片５０、５０は、外側へ折れ曲がり、且つ凹部３８、３８の上側開口縁４１に接触する斜面を有するに形成されている。
【００３４】
「く」字状片４８、４８は、斜め片４９、４９と、これに連成される第二斜め片５０、５０とで図示のような略「く」字状の形状に形成されている。このような「く」字状片４８、４８は、弾性を有している。すなわち、「く」字状片４８、４８は、略「く」字状の板バネとして形成されている。尚、斜め片４９、４９と第二斜め片５０、５０のそれぞれの傾きは、凹部３８、３８等を考慮して適宜設定されるものとする。
【００３５】
シールドケース３３の前壁４６には、この内部に差し込まれるＦＯＴケース３２の各光ファイバ接続筒部３７、３７を通過させるための略Ｕ字状のスリット５１、５１が形成されている。各スリット５１、５１は、この一部が光ファイバ接続筒部３７、３７の基端部分に形成される溝部５２、５２に差し込まれるように形成されている。
【００３６】
シールドケース３３の下側開口部４３には、ピン状の基板接続部５３、５４、５５が形成されている。基板接続部５３、５４、５５は、図４を参照しながら説明した従来例の基板接続部１９、２０、２１と同じに形成配置されている。シールドケース３３の後壁４７には、ＦＯＴ６のパッケージ部９の背面を押圧してこのＦＯＴ６を保持する押圧部（図示省略）が形成されている。
【００３７】
次に、以上の構成及び構造に基づきながら受発光部３１の組み付け作業、及び本発明の要部の作用について説明する。
【００３８】
受発光部３１の組み付け作業は、各ＦＯＴ６をＦＯＴケース３２に保持・固定する第一工程と、各ＦＯＴ６を固定した状態のＦＯＴケース３２をシールドケース３３に係止・固定する第二工程とを順に経ることにより行われる。
【００３９】
もう少し具体的に説明すると、第一工程では、各ＦＯＴ６のパッケージ部９がＦＯＴケース３２の各固定部３４のパッケージ収容固定部分３６に圧入状態で保持・固定されるとともに、各ＦＯＴ６のリードフレーム１０が各々、櫛歯形状の各リードフレーム固定部３５に差し込まれて保持・固定される。各ＦＯＴ６は、ＦＯＴケース３２においてガタ付きなく保持・固定される。
【００４０】
第一工程では、各ＦＯＴ６がガタ付きなく保持・固定されて、この結果、ＦＯＴケース３２との位置決めがなされる。各ＦＯＴ６は、次の第二工程でシールドケース３３におけるＦＯＴケース３２の位置が決まれば、これによって受発光部３１での位置が決まる。
【００４１】
第二工程では、各ＦＯＴ６を保持・固定した状態のＦＯＴケース３２をシールドケース３３の下側開口部４３からこの内部へ差し込んでいく。すると、シールドケース３３の「く」字状片４８、４８がＦＯＴケース３２の左右両側壁３９、３９によって押され、弾性変形する。さらに、ＦＯＴケース３２の差し込みを続けると、凹部３８、３８の位置が「く」字状片４８、４８の位置に一致して、これまで弾性変形していた「く」字状片４８、４８が元の状態に復元しようとする。この復元の際において、「く」字状片４８、４８の斜め片４９、４９は凹部３８、３８の下側開口縁４０、４０に接触する（点Ａ参照）。また、同様に「く」字状片４８、４８の第二斜め片５０、５０も凹部３８、３８の上側開口縁４１、４１に接触する（点Ｂ参照）。本形態の場合、「く」字状片４８、４８が元の状態に復元しようとすると、この「く」字状片４８、４８と凹部３８、３８とが引っ掛かり合って丁度良く係止状態が形成される。
【００４２】
斜め片４９、４９の凹部３８、３８に対する接触は、差し込みと反対になる離脱方向へとＦＯＴケース３２を付勢することになる。また、第二斜め片５０、５０の凹部３８、３８に対する接触は、ＦＯＴケース３２の左右方向の位置決めをするためにＦＯＴケース３２を付勢することになる（点Ｃで接触するように設定してもＦＯＴケース３２の左右方向の位置決めが可能である）。
【００４３】
斜め片４９、４９は、ＦＯＴケース３２を離脱方向（差し込みとは逆の方向。図中の下方向の矢印参照）に付勢する力を生じさせることから、嵌合ガタが吸収される（図中上方への移動が規制されてガタ付きがなくなる）。ＦＯＴケース３２及びシールドケース３３の係止状態が形成されると、シールドケース３３におけるＦＯＴケース３２の位置が決まり、結果、受発光部３１での各ＦＯＴ６の位置が決まる。
【００４４】
第二工程を経て組み付けが完了し図１に示す如くの受発光部３１が得られると、シールドケース３３から突出する各ＦＯＴ６のリードフレーム１０の長さは所望の長さに一致する（図１に示す如くリードフレーム１０の長さがシールドケース３３の基板接続部５３、５４、５５と同じ長さになる）。
【００４５】
従って、この後の回路基板（図４の引用符号２参照）に対する接続作業が容易に行われることになる（本形態では、リードフレーム１０等の先端位置が皆同じであることから、回路基板２への差し込みが容易である。また、ガタ付きが抑えられていることから、回路基板２への差し込み前や差し込み最中に意図しない移動が防止される）。本発明によれば、従来よりも格段に作業性が向上することになる。
【００４６】
続いて、図３を参照しながら本発明の光モジュールの他の一実施の形態を説明する。図３は他の一実施の形態を示す受発光部の正面図（円内は要部断面図）である。尚、上述の構成、部分と基本的に同じ場合には同一の符号を付して説明を省略するものとする。
【００４７】
図３において、受発光部６１は、発光素子を有する発光側ＦＯＴ（Fiber Optic Transceiver ）及び受光素子を有する受光側ＦＯＴ（これらをＦＯＴ６とする）と、このＦＯＴ６を保持・固定するためのＦＯＴケース３２と、ＦＯＴ６及びＦＯＴケース３２を覆って電磁ノイズ対策を施すシールドケース６２とを備えて構成されている。図３の例では、上述の形態に対してシールドケース６２のみが異なるものになっている。以下、シールドケース６２について説明する。
【００４８】
シールドケース６２は、導電性を有する金属板を打ち抜き、折り曲げ加工を施して、図示のような下側が開口する略箱状の形状に形成されている。シールドケース６２は、下側開口部４３及び上壁４４を有するとともに、左右の側壁４５、４５及び前後の側壁（前壁４６、後壁（４７））を有する略箱状の形状に形成されている。シールドケース６２は、ＦＯＴ６を保持・固定した状態のＦＯＴケース３２を、下側開口部４３から上壁４４へ向けて差し込むことにより覆い、この差し込んだＦＯＴケース３２等を左右両側壁４５、４５の斜め片４９、４９にて押さえ付け、この押さえ付けによってＦＯＴケース３２のガタ付きを抑えるような構造に形成されている。
【００４９】
シールドケース６２においては、斜め片４９、４９が本発明の重要な部分になっている。斜め片４９、４９は、従来生じていた係止構造におけるガタ付きを抑えるための部分として形成されている。斜め片４９、４９は、この先端が上壁４５、４５側を向き、且つ内側へ折れ曲がるように形成されている。斜め片４９、４９は、ＦＯＴケース３２の凹部３８、３８における下側開口縁４０（点Ａの位置）に接触する斜面を有するように形成されている。
【００５０】
受発光部６１の組み付け作業、及び本発明の要部の作用について説明する。
【００５１】
受発光部６１の組み付け作業は、各ＦＯＴ６をＦＯＴケース３２に保持・固定する第一工程と、各ＦＯＴ６を固定した状態のＦＯＴケース３２をシールドケース６２に係止・固定する第二工程とを順に経ることにより行われる。第一工程は上述と同じ工程であることから以下、第二工程を説明する。
【００５２】
第二工程では、各ＦＯＴ６を保持・固定した状態のＦＯＴケース３２をシールドケース６２の下側開口部４３からこの内部へ差し込んでいく。すると、シールドケース６２の斜め片４９、４９がＦＯＴケース３２の左右両側壁３９、３９によって押され、弾性変形する。さらに、ＦＯＴケース３２の差し込みを続けると、凹部３８、３８の位置が斜め片４９、４９の位置に一致して、これまで弾性変形していた斜め片４９、４９が元の状態に復元しようとする。この復元の際において、斜め片４９、４９は凹部３８、３８の下側開口縁４０、４０に接触する（点Ａ参照）。斜め片４９、４９の凹部３８、３８に対する接触は、差し込みと反対になる離脱方向へとＦＯＴケース３２を付勢することになる。
【００５３】
斜め片４９、４９は、ＦＯＴケース３２を離脱方向（差し込みとは逆の方向。図中の下方向の矢印参照）に付勢する力を生じさせることから、嵌合ガタが吸収される（図中上方への移動が規制されてガタ付きがなくなる）。ＦＯＴケース３２及びシールドケース３３の係止状態が形成されると、シールドケース３３におけるＦＯＴケース３２の位置が決まり、結果、受発光部３１での各ＦＯＴ６の位置が決まる。
【００５４】
第二工程を経て組み付けが完了し図３に示す如くの受発光部６１が得られると、シールドケース６２から突出する各ＦＯＴ６のリードフレーム１０の長さは所望の長さに一致する（図３に示す如くリードフレーム１０の長さがシールドケース６２の基板接続部５３、５４、５５と同じ長さになる）。
【００５５】
従って、この後の回路基板（図４の引用符号２参照）に対する接続作業が容易に行われる（本形態では、リードフレーム１０等の先端位置が皆同じであることから、回路基板２への差し込みが容易である。また、ガタ付きが抑えられていることから、回路基板２への差し込み前や差し込み最中に意図しない移動が防止される）。本発明によれば、従来よりも格段に作業性が向上することになる。
【００５６】
その他、本発明は本発明の主旨を変えない範囲で種々変更実施可能なことは勿論である。
【図面の簡単な説明】
【００５７】
【図１】本発明の光モジュールの一実施の形態を示す受発光部の正面図（円内は要部断面図）である。
【図２】（ａ）はＦＯＴケース及びシールドケースの斜視図、（ｂ）はシールドケースの斜視図、（ｃ）はＦＯＴケースの斜視図である。
【図３】本発明の光モジュールの他の一実施の形態を示す受発光部の正面図（円内は要部断面図）である。
【図４】従来例の光モジュールの図であり、（ａ）は受発光部の斜視図、（ｂ）は受発光部の断面図である。
【符号の説明】
【００５８】
６  ＦＯＴ
９  パッケージ部
１０  リードフレーム
３１  受発光部
３２  ＦＯＴケース
３３  シールドケース
３４  固定部
３５  リードフレーム固定部
３６  パッケージ収容固定部分
３７  光ファイバ接続筒部
３８  凹部
３９  側壁
４０  下側開口縁
４１  上側開口縁
４２  奥部
４３  下側開口部
４４  上壁
４５  側壁
４６  前壁
４７  後壁
４８  「く」字状片
４９  斜め片
５０  第二斜め片
５１  スリット
５２  溝部
５３〜５５  基板接続部
【図１】
2008071823.tif 000003
【図２】
2008071823.tif 000004
【図３】
2008071823.tif 000005
【図４】
2008071823.tif 000006